(57)【要約】【課題】燃焼させることが困難な杉や松などの針葉樹の生木を薪として燃焼可能とし、その燃焼熱を炊飯や調理等に利用可能な薪ストーブの技術を提供する。【解決手段】多機能ストーブの本体１８の一面は傾斜した前面を形成し、これに後述する左扉２３及び右扉２４を配置する。該前面に燃焼室１９に燃料２０としての杉や松等の針葉樹の間伐材やその他の薪を左・右扉２３、２４を開放して供給するための矩形状の開口部２１を有している。前記開口部２１の外側には開放・閉止自在に支持された左扉２３及び右扉２４を配設している。前記左扉２３及び右扉２４の略中央部には燃焼室１９に空気を導入する多数の円孔を輪設してなる空気導入口２５ａを有した回転可能な円盤２５と、該回転可能な円盤２５の裏面に配設しかつ空気導入口２５ａを覆うに十分な円孔を輪設した円盤状固定空気調節板２５ｂ、２５ｂを備えている。【選択図】図１
0003142324.tif 000002
【実用新案登録請求の範囲】
【請求項１】
前面を傾斜させ該前面に配置しかつ燃料を供給する左・右扉を有する略矩形体でなる燃焼室を備えた箱状の本体と、該本体を移動自在に構成したキャスタを備えた脚とでなるストーブに於いて、前記本体の上面に載置・固定した羽釜と、前記左・右扉の所定位置に多数の円孔を輪設して構成される空気導入口を有した回転可能な円盤と、該回転可能な円盤の空気導入口と連通しかつ燃焼室に空気を制御・供給する前記左・右扉に一体形成した円孔を有する円盤状固定空気調整板とでなることを特徴とする多機能ストーブ。
【請求項２】
前面を傾斜させ該前面に配置しかつ燃料を供給する左・右扉を有する略矩形体でなる燃焼室を備えた箱状の本体と、該本体を移動自在に構成したキャスタを備えた脚とでなるストーブに於いて、前記本体の上面に載置・固定したテーブル付き食材燃焼装置と、前記左・右扉の所定位置に多数の円孔を輪設して構成される空気導入口を有した回転可能な円盤と、該回転可能な円盤の空気導入口と連通しかつ燃焼室に空気を制御・供給する前記左・右扉に一体形成した円孔を有する円盤状固定空気調整板とでなることを特徴とする多機能ストーブ。
【考案の詳細な説明】
【技術分野】
【０００１】
本考案は、燃焼させることが困難な杉や松などの針葉樹の生木を薪として燃焼可能とし、その燃焼熱を炊飯や調理等に利用可能な薪ストーブに関するものである。
【背景技術】
【０００２】
この種の従来の技術に於けるストーブの例としては図３及び図４に示す特開２００２−３１７９３４号に係る公開特許公報に開示された技術がある。これについて説明すれば、ストーブ１を構成する本体ケース２は、例えば厚さ５ｍｍの鉄板を溶接して前後方向に長い四角筒状に形成されている。本体ケース２の前面には、燃焼室３へ燃料を供給するための開口部４が設けられている。該開口部４には空気導入口５ａを形成した蓋５がヒンジにより開閉可能に、かつロック機構により閉鎖状態を保持可能に装着されている。前記本体ケース２の左右両側方には、所定の間隔をおいて左右一対の煙道６、７を形成する煙道ケース８、９が装着されている。該両煙道ケース８、９の前端部は、前記本体ケース２の燃焼室３と連通部１０、１１によりそれぞれ連通されている。両煙道ケース８、９の後端部は連通部１２により互いに連通され、該連通部１２に煙突（図示せず）を接続するフランジ１３が設けられている。前記各連通部１０、１１、１２も例えば厚さ５ｍｍの鉄板を溶接して形成されている。前記両煙道ケース８、９は、四つの脚部１４、１４、１５、１５により床面に支持されている。前記本体ケース２の左右両外側壁と左右の両煙道ケース８、９の内側壁との間には空気を上方に流動して室内の空気を対流させるための気流上昇用通路１６、１７が形成されている。
【特許文献１】特開２００２−３１７９３４号公開特許公報
【考案の開示】
【考案が解決しようとする課題】
【０００３】
従来の技術は叙上した構成であるので次の課題が存在した。
すなわち、従来の技術では薪を燃焼室３で燃焼させる際、燃焼に伴う排煙は燃焼室３から左・右の連通部１０、１１に分散して流過し、左・右の煙道６、７経由した後に連通部１２において再び合流してから煙突に流過して大気に放出される。薪の燃焼に必要な酸素は蓋５に形成した空気導入口５ａから流入するが、酸素の流入方向と薪から生じた排煙及び排熱が前記左・右の連通部１０、１１の流過する方向が互いに逆方向となるので、酸素が十分に供給できずに不完全燃焼を生じやすいという問題点があった。さらに杉や松等の針葉樹の生木を薪として完全燃焼させるためには多量の酸素を必要とするので、該薪を燃料に使用できないという問題点があった。また、空気導入口５ａからの流入空気を調整できず、使用を中止するとき燃焼止めの場合外部から水等を内部に放水することで行う等操作が煩わしいという問題点があった。本考案が解決しようとする課題は、上記背景技術に存在する問題点を解決することにある。
【課題を解決するための手段】
【０００４】
本考案に係る多機能ストーブは、森林又は人工林から伐採した杉や松等の針葉樹の間伐材を生木のままで薪として燃焼させることができ、処分が困難な前記間伐材等の木材資源を有効活用することを特徴として叙上の問題点を解決すべく考案したものであって、次の構成手段から成立する。
【０００５】
すなわち請求項１記載の考案によれば、前面を傾斜させ該前面に配置しかつ燃料を供給する左・右扉を有する略矩形体でなる燃焼室を備えた箱状の本体と、該本体を移動自在に構成したキャスタを備えた脚とでなるストーブに於いて、前記本体の上面に載置・固定した羽釜と、前記左・右扉の所定位置に多数の円孔を輪設して構成される空気導入口を有した回転可能な円盤と、該回転可能な円盤の空気導入口と連通しかつ燃焼室に空気を制御・供給する前記左・右扉に一体形成した円孔を有する空気調整板とでなることを特徴とする。
【０００６】
請求項２記載の考案によれば、前面を傾斜させ該前面に配置しかつ燃料を供給する左・右扉を有する略矩形体でなる燃焼室を備えた箱状の本体と、該本体を移動自在に構成したキャスタを備えた脚とでなるストーブに於いて、前記本体の上面に載置・固定したテーブル付き食材燃焼装置と、前記左・右扉の所定位置に多数の円孔を輪設して構成される空気導入口を有した回転可能な円盤と、該回転可能な円盤の空気導入口と連通しかつ燃焼室に空気を制御・供給する前記左・右扉に一体形成した円孔を有する空気調整板とでなることを特徴とする。
【考案の効果】
【０００７】
本考案に係る多機能ストーブは叙上の構成を有するので次の効果がある。
すなわち請求項１記載の考案によれば、前面を傾斜させ該前面に配置しかつ燃料を供給する左・右扉を有する略矩形体でなる燃焼室を備えた箱状の本体と、該本体を移動自在に構成したキャスタを備えた脚とでなるストーブに於いて、前記本体の上面に載置・固定した羽釜と、前記左・右扉の所定位置に多数の円孔を輪設して構成される空気導入口を有した回転可能な円盤と、該回転可能な円盤の空気導入口と連通しかつ燃焼室に空気を制御・供給する前記左・右扉に一体形成した円孔を有する円盤状固定空気調整板とでなることを特徴とする多機能ストーブを提供する。
而して、多数の空気導入口を有するので杉や松等の針葉樹の生木を薪として利用する際に、完全燃焼させるための十分な酸素を供給することができるので、安価で入手が容易な薪を燃料として使用でき、木材資源を有効利用できるので環境負荷を低減できるという効果がある。また、燃焼用空気が流過する回転可能な円盤を操作することで多機能ストーブの発熱量を容易に制御できるので炊飯に際して炊飯作業の経過とともに要求される最適な温度の管理ができるという効果がある。また、燃料を供給する左・右扉が該多機能ストーブの前面に傾斜して取り付けられているので、該左・右扉を閉止したときは、該左・右扉の自重によって閉止状態が保持されるため燃焼室内部の炎や煙が左・右扉から漏れ出すことがないので該左・右扉のロック機構が不要となる効果がある。さらに該多機能ストーブを消火するときは回転可能な円盤を操作して空気導入口を閉鎖することにより効果的に燃焼用空気を遮断して消火作業が迅速かつ安全に行えるという効果がある。
請求項２記載の考案によれば、前面を傾斜させ該前面に配置しかつ燃料を供給する左・右扉を有する略矩形体でなる燃焼室を備えた箱状の本体と、該本体を移動自在に構成したキャスタを備えた脚とでなるストーブに於いて、前記本体の上面に載置・固定したテーブル付き食材燃焼装置と、前記左・右扉の所定位置に多数の円孔を輪設して構成される空気導入口を有した回転可能な円盤と、該回転可能な円盤の空気導入口と連通しかつ燃焼室に空気を制御・供給する前記左・右扉に一体形成した円孔を有する円盤状固定空気調整板とでなることを特徴とする多機能ストーブを提供する。
而して、請求項１記載の考案の効果に加えて、屋外や野外などで種々の食材を調理して、該多機能ストーブの周囲で会食ができるという効果がある。
【考案を実施するための最良の形態】
【０００８】
以下、本考案に係る多機能ストーブ於ける実施の形態について添付図面に基づき詳細に説明する。
図１は、本考案の多機能ストーブの一例を示すものであって、上部に羽釜を設けた構成例である。そしてこの多機能ストーブの一部を破断して内部構造を示す斜視図である。これについて説明すれば、多機能ストーブＡを構成する本体１８は例えば板厚５ｍｍ程度の熱間圧延鋼板や熱間圧延縞鋼板を隅肉溶接して略矩形体でなる箱状を形成している。本体１８の一面は傾斜した前面を形成し、これに後述する左扉２３及び右扉２４を配置する。そしてこの前面に燃焼室１９に燃料２０としての杉や松等の針葉樹の間伐材やその他の薪を左・右扉２３、２４を開放して供給するための矩形状の開口部２１を有している。該開口部２１は所定の大きさの熱間圧延鋼板や熱間圧延縞鋼板を額縁形状に内側を切断除去して本体１８の前面に隅肉溶接している。前記開口部２１の外側には左・右縦端をそれぞれ２個のヒンジ２２で前記開口部２１に対して開放・閉止自在に支持された左扉２３及び右扉２４を配設している。該左扉２３及び右扉２４を閉止したとき該左扉２３と右扉２４の突合せ部及び該左扉２３と右扉２４と前記開口部２１の重なる部分はほぼ隙間なく閉止される。また、鋼棒をＬ型に熱間又は冷間曲げ加工したハンドル２３ａ、２４ａを前記左扉２３、前記右扉２４に有しハンドル２３ａ、２４ａの基端面をそれぞれ左扉２３及び右扉２４の下方の表面に溶接している。
【０００９】
前記左扉２３及び右扉２４の略中央部には燃焼室１９に空気を導入する多数の円孔を輪設してなる空気導入口２５ａを有した回転可能な円盤２５と、そしてこの回転可能な円盤２５の裏面に配設しかつ空気導入口２５ａを覆うに十分な円孔を輪設した円盤状固定空気調節板２５ｂ、２５ｂを備えている。該円盤状固定空気調節板２５ｂ、２５ｂは前記左扉２３及び右扉２４に円孔を輪設することで代替することができる。回転可能な円盤２５は中心軸部材２５ｃ、２５ｃにより回転自在に装着されている。また、該円盤状固定空気調節板２５ｂ、２５ｂは前記回転可能な円盤２５に穿孔された複数の空気導入口２５ａと同一形状で同一配列の円孔でなる複数の空気導入口（図示せず）を配置している。また、ハンドル２５ｄ、２５ｄの基端を前記回転可能な円盤２５、２５の外縁部に溶接している。該ハンドル２５ｄ、２５ｄ及び前記ハンドル２３ａ、２４ａはその外周面を凹凸に形成した鉄筋コンクリート用鋼棒又は鉄筋コンクリート用再生鋼棒で構成すると表面が滑らないためハンドルとして好適である。
【００１０】
本体１８の上面１８ａは鋼板で構成し上面１８ａの中央部を円形に切断除去し、本体１８の上面１８ａに羽釜２９を載置・固定して炊飯することが可能である。羽釜２９は本体１８に着脱自在にビス等の固定部品により固定し、又は該本体１８と一体に成形してもよい。２９ａは羽釜の蓋である。本体１８の燃焼室１９には図１に示すように、燃料２０を置くための棚板２６が破線で示す受け金具２７、２７によって本体１８の底面１８ｂから一定の高さに保持されている。受け金具２７、２７は例えばＬ型形鋼で成形し本体の左側面１８ｃと本体の右側面１８ｄの内壁に溶接固定する。棚板２６は全面に複数の貫通孔２６ａ、２６ａ・・・・を穿孔した有孔部材であり、該貫通孔２６ａ、２６ａ・・・・は該燃焼室１９内に於いて燃料２０に必要な空気を供給すると共に、燃焼後に灰を本体の底面１８ｂに落とすための機能を果たす。棚板２６は既製品のパンチングメタル等の有孔部材を代用してもよい。
前記棚板２６の前記貫通孔２６ａ、２６ａ・・・・の孔径より大きな燃料２０は、燃焼後も棚板２６の上に残存するので、後から供給する燃料の種火として利用でき燃焼維持を容易にする効果を有する。
図中２８は煙突であり２８ａは本体１８と煙突２８を連通し煙突２８と固定する煙突箱である。また、３０は本体１８を支持する脚であり例えば４本配置しており、その下端はキャスタ３０ａを備え、当該多機能ストーブを所定の場所に移動可能な構成としている。
【実施例１】
【００１１】
以下、本考案に係る多機能ストーブ於いて、実施例を説明する。
図２は、本考案の多機能ストーブを利用した実施例を示すものであって、上部にテーブル付き食材燃焼装置３１を設けた構成例である。
これについて説明すれば、多機能ストーブＢを構成する本体１８は例えば板厚５ｍｍ程度の熱間圧延鋼板や熱間圧延縞鋼板を隅肉溶接して略矩形体でなる箱状を形成している。本体１８の一面は傾斜した前面を形成し、これに後述する左扉２３及び右扉２４を配置する。そしてこの前面に燃焼室１９に燃料（図示せず）としての杉や松等の針葉樹の間伐材やその他の薪を左・右扉２３、２４を開放して供給するための矩形状の開口部２１を有している。該開口部２１は所定の大きさの熱間圧延鋼板や熱間圧延縞鋼板を額縁形状に内側を切断除去して本体１８の前面に隅肉溶接している。前記開口部２１の外側には左・右縦端をそれぞれ２個のヒンジ２２で前記開口部２１に対して開放・閉止自在に支持された左扉２３及び右扉２４を配設している。該左扉２３及び右扉２４を閉止したとき該左扉２３と右扉２４の突合せ部及び該左扉２３と右扉２４と前記開口部２１の重なる部分はほぼ隙間なく閉止される。また、鋼棒をＬ型に熱間又は冷間曲げ加工したハンドル２３ａ、２４ａを前記左扉２３、前記右扉２４に有しハンドル２３ａ、２４ａの基端面をそれぞれ左扉２３及び右扉２４の下方の表面に溶接している。
【００１２】
前記左扉２３及び右扉２４の略中央部には燃焼室１９に空気を導入する多数の円孔を輪設してなる空気導入口２５ａを有した回転可能な円盤２５と、そしてこの回転可能な円盤２５の裏面に配設しかつ空気導入口２５ａを覆うに十分な円孔を輪設した円盤状固定空気調節板（図示せず）を備えている。該円盤状固定空気調節板は前記左扉２３及び右扉２４に円孔を輪設することで代替することができる。回転可能な円盤２５は中心軸部材（図示せず）により回転自在に装着されている。また、該円盤状固定空気調節板は前記左扉２３及び右扉２４に円弧状に穿孔された複数の空気導入口２５ａと同一形状で同一配列の円孔でなる複数の空気導入口（図示せず）を配置している。また、ハンドル２５ｄ、２５ｄを前記回転可能な円盤２５、２５の外縁部に溶接している。該ハンドル２５ｄ、２５ｄ及び前記ハンドル２３ａ、２４ａは棒の外周面に凹凸を有する鉄筋コンクリート用鋼棒又は鉄筋コンクリート用再生鋼棒で成形すると表面が滑らないためハンドルとして好適である。
【００１３】
本体１８の上面１８ａは鋼板で構成し上面の中央部を深さの浅い床に成形し、食材燃焼装置３１ａとする。食材燃焼装置３１ａは上部を開放しており、上部から加熱・燃焼するための食材を並べいれる。食材燃焼装置３１ａの底面部は食材を保持する金属製網又はすのこ状の部材を脱着可能に設置している。食材燃焼装置３１ａは上部を蓋３１ｂ、３１ｂで開放・閉止することができ、該蓋３１ｂ、３１ｂは食材燃焼装置３１ａの前後両端に於いてヒンジ３１ｄで開放・閉止自在に支持されている。また、本体１８の上部の外周部の前面、左側面及び右側面はテーブル３１ｃ、３１ｃ、３１ｃを固定している。
図中２８は煙突であり２８ａは本体１８と煙突２８を連通し煙突２８と固定する煙突箱である。また、３０は本体１８を支持する脚であり例えば４本配置しており、その下端はキャスタ３０ａを備え、当該多機能ストーブを所定の場所に移動可能な構成としている。
尚、前記本体18の上面に載置・固定した食材燃焼装置31ａを脱着して、前記羽釜や鍋を載置・固定可能可能な部材に交換可能な構造としてもよい。
【図面の簡単な説明】
【００１４】
【図１】本考案に係る多機能ストーブの実施の形態を示す図面であって、上部に載置・固定した羽釜を設けた多機能ストーブに於いてその一部を破断して内部構造を示す斜視図である。
【図２】本考案に係る多機能ストーブの実施例を示す図面であって、上部に載置・固定したテーブル付き食材燃焼装置を設けた多機能ストーブの斜視図である。
【図３】従来の技術に於けるストーブの斜視図である。
【図４】従来の技術に於けるストーブの水平断面図である。
【符号の説明】
【００１５】
１８      本体
１８ａ    本体の上面
１８ｂ    本体の底面
１８ｃ    本体の左側面
１８ｄ    本体の左側面
１９      燃焼室
２０      燃料
２１      開口部
２２      ヒンジ
２３      左扉
２３ａ    ハンドル
２４      右扉
２４ａ    ハンドル
２５      回転可能な円盤
２５ａ    空気導入口
２５ｂ    円盤状固定空気調節板
２５ｃ    中心軸部材
２５ｄ    ハンドル
２６      棚板
２７      受け金具
２８      煙突
２８ａ    煙突箱
２９      羽釜
２９ａ    羽釜の蓋
３０      脚
３０ａ    キャスタ
３１      テーブル付き食材燃焼装置
３１ａ    食材燃焼装置
３１ｂ    蓋
３１ｃ    テーブル
３１ｄ    ヒンジ
【図１】
0003142324.tif 000003
【図２】
0003142324.tif 000004
【図３】
0003142324.tif 000005
【図４】
0003142324.tif 000006